(57)【要約】【課題】回転力に対する抵抗が大きくなる構造となり、しかも、コンクリートに差し込む際の抵抗も軽減することができるアンカーボルトを提供する。【解決手段】軸部１の一端部に埋設部２を設け、軸部１の他端部にボルト部３を設ける。埋設部２をフランジ部２Ａと回転止め部２Ｂとで構成する。張出し部２Ａを、ボルト部３の下端から周囲に張出す逆円錐形状に形成する。回転止め部２Ｂの底部形状を、底面から見て正四角形を成す角柱形状に形成する。軸部１の前記ボルト３がわ側面に、複数本の埋め込み目印１Ａを設ける。【選択図】  図１
0003164984.tif 000002
【実用新案登録請求の範囲】
【請求項１】
軸部の一端部に設けた埋設部と、軸部の他端部に設けたボルト部とを有し、コンクリート構造物内に埋設部を固定し、ボルト部に他の構造物をネジ止めするアンカーボルトにおいて、該埋設部は、ボルト部の下端から周囲に張出して逆円錐形状を成した張出し部と、該張出し部の下面中央に突設された角柱状の回転止め部とで構成されたことを特徴とするアンカーボルト。
【請求項２】
前記回転止め部は、底面から見て正四角形状を成す角柱形状に形成された請求項１記載のアンカーボルト。
【請求項３】
前記軸部の前記ボルトがわ側面に、複数本の埋め込み目印を設けた請求項１又は２記載のアンカーボルト。
【考案の詳細な説明】
【技術分野】
【０００１】
本考案は建築用金物として使用されるアンカーボルトに係り、引っ張り力及び回転力のいずれにも抵抗する構造となり、設置作業も容易に行えるアンカーボルトに関するものである。
【背景技術】
【０００２】
建築工法において、例えば土台をコンクリート基礎上に固定する際に、アンカーボルトが使用されている。このアンカーボルトは、コンクリート基礎内に予め埋設されており、この基礎から上方に突出したボルト部分に土台を装着するように設けられたものである。
【０００３】
従来、コンクリート基礎内からの引っ張り抵抗力を高めようとしたアンカーボルトが、特許文献１に記載されている。このアンカーボルトは、下端部が略Ｊの字形状に屈曲された従来のアンカーボルトを改良したもので、コンクリート埋設部の下端部に、アンカーボルトの軸部の外周面より外側に突出した膨大部を設け、この膨大部が引っ張り力に対してバランスのよい抵抗となるとしている。
【０００４】
特許文献１に記載のアンカーボルトは、膨大部の形状を、軸部の外周面より外側に突出した円盤状に形成しているものである。そのため、引っ張り力に対する抵抗は生じても、アンカーボルトの回転力に抵抗できる構造ではなかった。すなわち、アンカーボルトは、コンクリート基礎の上方に突出したボルト部にナットをネジ止めして他の構造物を固定するものであるから、このアンカーボルトには、引っ張り力と共に、回転力にも抵抗する構造が望ましいものである。特許文献１が改良する前の、下端部が略Ｊの字形状に屈曲された従来のアンカーボルトは、この回転力にも抵抗する構造になっていたが、特許文献１では、この回転力に抵抗する力が乏しい構造になっている。
【０００５】
さらに、この種のアンカーボルトをコンクリート構造物Ｐ内に埋設する場合、コンクリート基礎枠内に予めアンカーボルトを設置し、その後、コンクリートを打設するといった方法の外、先にコンクリートを打設し、このコンクリートが硬化する前にアンカーボルトを上から所定の深さまで差し込む方法もある。このような場合、特許文献１の如く、底面が平らな円盤状の膨大部では、差し込む際の抵抗が大きくなり、アンカーボルトを正確な位置に設置する作業に多くの手間を要するものである。
【０００６】
そこで、当考案者は先に、特許文献２に記載の如く、埋設部の底部形状を逆截頭角錐形状に形成したことにより、引っ張り力のみならず、回転力にも抵抗する構造となり、しかも、コンクリートに差し込む際の抵抗も軽減することができるアンカーボルトを提案している。
【先行技術文献】
【特許文献】
【０００７】
【特許文献１】特開２００４−１１１１８号公報
【特許文献２】実用新案登録第３１３２０４０号公報
【考案の概要】
【考案が解決しようとする課題】
【０００８】
特許文献２に記載のアンカーボルトにより、コンクリート効果前に埋設部２を差し込む作業においても、抵抗が少なくなり、埋設部２の角部が回転力に対して抵抗力を有するものになった。
【０００９】
ところが、このアンカーボルトに強力な回転力が加わった場合は、逆截頭角錐形状の底部形状では、硬化したコンクリートの中で回転してしまうおそれがあった。
【００１０】
そこで本考案は、上述の課題を解消すべく案出されたもので、アンカーボルトに強力な回転力が加わった場合でも、硬化したコンクリート内でのアンカーボルトの回転を防止できるアンカーボルトの提供を目的とするものである。
【課題を解決するための手段】
【００１１】
上述の目的を達成すべく本考案の第１の手段は、軸部１の一端部に設けた埋設部２と、軸部１の他端部に設けたボルト部３とを有し、コンクリート構造物Ｐ内に埋設部２を固定し、ボルト部３に他の構造物Ｑをネジ止めするアンカーボルトにおいて、該埋設部２は、ボルト部３の下端から周囲に張出して逆円錐形状を成した張出し部３Ａと、該張出し部３Ａの下面中央に突設された角柱状の回転止め部３Ｂとで構成されたことにある。
【００１２】
第２の手段の前記埋設部２は、底面から見て正四角形状を成す角柱形状に設けている。
【００１３】
第３の手段は、前記軸部１の前記ボルト３がわ側面に、複数本の埋め込み目印１Ａを設けたことを課題解消のための手段とする。
【考案の効果】
【００１４】
本考案によると、請求項１の如く、埋設部２を、ボルト部３の下端から周囲に張出して逆円錐形状を成した張出し部３Ａと、該張出し部３Ａの下面中央に突設された四角柱状の回転止め部３Ｂとで構成したことより、該四角柱状の回転止め部３Ｂが、埋設部２の回転に対して強く抵抗するものになる。この結果、アンカーボルトに強力な回転力が加わった場合に、硬化したコンクリートの中で回転してしまうおそれは解消された。
【００１５】
しかも、張出し部３Ａの形状が逆円錐形状を成しているので、コンクリート硬化前に埋設部２を差し込む作業においても、抵抗が少なくなり、正確な位置への設置が容易に行える。
【００１６】
また、請求項２により、回転止め部３Ｂは、底面から見て正四角形状を成す角柱形状に設けているので、平面部に載置した状態でも安定した状態で立設させることが可能になる。
【００１７】
更に、請求項３では、軸部１の複数本の埋め込み目印１Ａにより、埋設部２を所定の深さまで差し込む際の目印にすることが可能になり、回転止め部３Ｂの形状と相俟って設置作業性を合理化することができる。
【図面の簡単な説明】
【００１８】
【図１】本考案の使用例を示す正面図である。
【図２】本考案の一実施例を示す正面図である。
【図３】本考案の埋設部を示す要部斜視図である。
【図４】本考案の埋設部を示す底面図である。
【図５】本考案の他の使用例を示す正面図である。
【考案を実施するための形態】
【００１９】
本考案によると、アンカーボルトに強力な回転力が加わった場合でも、硬化したコンクリート内でのアンカーボルトの回転を防止できるなどといった当初の目的を実現した。
【実施例】
【００２０】
以下、本考案を図示例に基づいて説明する。本考案は、軸部１の一端部に設けた埋設部２と、軸部１の他端部に設けたボルト部３とを有するアンカーボルトである（図２参照）。このアンカーボルトは、コンクリート構造物Ｐ内に埋設部２を固定し、ボルト部３に他の構造物Ｑをネジ止めするものである（図１参照）。
【００２１】
本考案アンカーボルトにおいて、埋設部２の構成を、ボルト部３の下端から周囲に張出して逆円錐形状を成した張出し部３Ａと、該張出し部３Ａの下面中央に突設された角柱状の回転止め部３Ｂとで構成している。
【００２２】
張出し部３Ａを形成する逆円錐形状とは、上面が平で下面が円錐形を成している状態である。このとき、円錐形の表面にわずかな丸みを設けてもよい（図３参照）。
【００２３】
一方、張出し部３Ａの下面中央に突設される回転止め部３Ｂは、角柱状に形成されている。図示例の回転止め部３Ｂは、底面から見て正四角形状を成す角柱形状に形成している（図４参照）。また、回転止め部３Ｂの角柱状として、この他、底面から見て三角形状、五角形状などの変更も可能である。また、回転止め部３Ｂの太さは任意に変更することができる。
【００２４】
また、軸部１の前記ボルト３がわ側面に、複数本の埋め込み目印１Ａを設けている（図２参照）。この埋め込み目印１Ａは、本考案アンカーボルトの埋設部２をコンクリート打設後にコンクリート構造物Ｐ内に差し込む際の目印にするほか、コンクリート打設前に本考案アンカーボルトを設置する際の目印にすることも可能になる（図１参照）。また、図中符号４は、認定番号や製品番号等を表示する表示部４であり、埋め込み目印１Ａよりもボルト部３近くに表示部４を設けることで、コンクリート構造物Ｐ内に埋設されているアンカーボルトの品質やサイズ等を目視で確認することが可能になる。
【００２５】
次に、本考案の使用例を説明する。図１に示す使用例は、布基礎上に土台を接合する際に使用する状態を示している。すなわち、コンクリート構造物Ｐである布基礎内に、主筋Ｓ等と共に埋設部２を埋設し、この布基礎から上方に突出したボルト部３を、土台となる木製の構造物Ｑに貫通させ、座金５とナット６にて連結したものである。この場合、埋設部２の最下端部を、コンクリート構造物Ｐの下方に予め敷設したべた基礎Ｒに当接させておき、軸部１の埋め込み目印１Ａまでコンクリートを打設することで布基礎を構築している。この際、回転止め部３Ｂを角柱状に形成しているので、最下端部の平らな面を、べた基礎Ｒ上に安定した状態に設置することができる。このように、本考案アンカーボルトをスケールとして利用することも可能である。
【００２６】
図５に示す使用例は、基礎・スラブＳ等に鋼製柱Ｔを支持する際に使用した状態を示している。すなわち、軸部１の埋設部２を基礎・スラブＳ内に埋設し、上部に突出したボルト部３に鋼製柱Ｔを連結している。この場合、軸部１のボルト部３は、鋼製柱ＴのベースプレートＴ１に直接貫通し、座金５とナット６にて連結している。
【産業上の利用可能性】
【００２７】
本考案において、主に土台をコンクリート基礎上に固定する際に利用するアンカーボルトとして説明しているが、この種の利用に限定されるものではなく、他の部材をコンクリートに固定するアンカーボルトとしての使用も可能である。また、軸部１の長さや直径、埋設部２の直径、あるいは使用態様などは図示例に限定されるものではなく、本考案の要旨を変更しない範囲で任意に変更することができるものである。
【符号の説明】
【００２８】
Ｐ  コンクリート構造物
Ｑ  構造物
Ｒ  べた基礎
Ｓ  基礎・スラブ
Ｔ  鋼製柱
Ｔ１  ベースプレート
１  軸部
１Ａ  埋め込み目印
２  埋設部
２Ａ  張出し部
２Ｂ  回転止め部
３  ボルト部
４  表示部
５  座金
６  ナット
【図１】
0003164984.tif 000003
【図２】
0003164984.tif 000004
【図３】
0003164984.tif 000005
【図４】
0003164984.tif 000006
【図５】
0003164984.tif 000007